(57)【要約】【課題】  室内を浄化かつ換気できる機能を有する換気兼用空気清浄器を提供する。【解決手段】  本発明による換気兼用空気清浄器は、天井や壁に設置され、内部に送風機を有するケースと、室外、ケースの内部及び室内を連通させ、前記ケース内部と室内間に空気浄化部材を有し、かつ室外空気を室内に案内する第１流路と、室内、送風機及び室外を連通させて室内空気を室外に案内する第２流路と、室外空気を室内に供給しかつ室内空気を室外に排出するように第１流路と第２流路とを隔離したり、第２流路に流入した室内空気が空気浄化部材を通過した後に再び室内に案内されるように、第１流路と第２流路とを連通させる前記ケース内に設けられたダンパーとを含む。【選択図】      図２Ａ
2005214612.tif 000002
【特許請求の範囲】
【請求項１】
内部に送風機を備えた、天井や壁に設置されるケースと、
室外、前記ケースの内部、及び室内を連通させ、前記ケース内部と室内との間に空気浄化部を有し、かつ室外空気を室内に案内する第１流路と、
室内、前記送風機、及び室外を連通させ、室内空気を室外に案内する第２流路と、
前記ケースの内部に設けられ、室外空気を室内へ供給しかつ室内空気を室外へ排出するために前記第１流路と第２流路とを隔離したり、または前記第２流路に流入した室内空気を前記空気浄化部を経由した後に、再び室内へ案内するように、前記第１流路と第２流路とを連通させるダンパーとを含む換気兼用空気清浄器。
【請求項２】
前記第１流路は、前記ケース内に流入する空気の流動方向と、室内に供給される空気の流動方向とが異なるように、前記ケースの内部で曲折している請求項１記載の換気兼用空気清浄器。
【請求項３】
前記第２流路は、前記ケース内に流入する空気の流動方向と、室外に吐き出される空気の流動方向とが異なるように、前記ケースの内部で曲折している請求項１記載の換気兼用空気清浄器。
【請求項４】
前記送風機は、軸方向に空気を吸入した後、半径方向に排出する請求項１記載の換気兼用空気清浄器。
【請求項５】
前記ケースには、
前記ケースと室内とを連通させる吸入口及び吐出口が設けられ、
前記ケースと室外とを連通させる吸気ダクト及び排気ダクトが設けられている請求項１記載の換気兼用空気清浄器。
【請求項６】
前記空気浄化部は、前記給気ダクトと吐出口間の空間に設けられている請求項５記載の換気兼用空気清浄器。
【請求項７】
吸入口及び吐出口を有する、天井や壁に設置されるケースと、
前記ケースの内部に設けられた、室内空気を吸入する送風機と、
一方は前記ケースに連結されかつ他方は室外に連結される、室外空気を前記ケースの内部に案内する給気ダクトと、
一方は前記ケースに連結され、かつ他方は室外に連結され、前記送風機を経由した室内空気を室外に案内する排気ダクトと、
前記送風機または給気ダクトを経由した後に、室内に供給される空気を浄化する、前記ケースの内部に設けられた空気浄化部と、
前記ケースの内部に設けられ、運転モードに従って前記吸入口と前記排気ダクトとを連通させ、かつ前記吐出口と前記給気ダクトとを連通させるか、または前記吸入口と前記吐出口とを連通させるダンパーとを含む換気兼用空気清浄器。
【請求項８】
前記運転モードは、
前記ダンパーが開放され、外気が前記吸入口に吸入され、かつ前記送風機を経由した室内空気が吐出口に案内される空気清浄モードと、
前記ダンパーが閉鎖され、前記吸入口に吸入されかつ前記送風機を経由した室内空気が前記排気ダクトに案内され、前記給気ダクトに案内された室外空気が吐出口に案内される換気モードとを含む請求項７記載の換気兼用空気清浄器。
【請求項９】
室内空気の成分を測定するセンサーを前記ケース内にさらに含む請求項７記載の換気兼用空気清浄器。
【請求項１０】
前記ダンパーは、前記センサーによって測定される空気成分に基づいて自動的に開閉する請求項９記載の換気兼用空気清浄器。
【請求項１１】
前記センサーは、ＣＯ2測定センサーを含む請求項９記載の換気兼用空気清浄器。
【請求項１２】
前記空気浄化部は、フィルター、イオン発生器、ＵＶランプ、テルペン(terpene)発生器、酸素発生器、方向装置のうちの少なくとも一つを含む請求項７記載の換気兼用空気清浄器。
【請求項１３】
前記給気ダクトまたは排気ダクトを開閉するために前記給気ダクト及び排気ダクトのうちの少なくとも一方に設けられたバルブをさらに含む請求項７記載の換気兼用空気清浄器。
【請求項１４】
前記給気ダクト及び排気ダクト内を夫々流動する空気を相互に間接的に熱交換するように前記給気ダクト及び排気ダクトを相互に交差する伝熱交換機をさらに含む請求項７記載の換気兼用空気清浄器。
【請求項１５】
前記給気ダクト及び排気ダクトのうち少なくとも一方から分岐し、室内に連通した少なくとも一方の分岐管をさらに含む請求項７記載の換気兼用空気清浄器。
【発明の詳細な説明】
【技術分野】
【０００１】
本発明は空気清浄器に関し、特に室内を換気する機能を有する空気清浄器に関する。
【背景技術】
【０００２】
空気清浄器は、室内の空気を吸入して異物質を除去した後に、浄化された空気を再び室内に供給する装置である。空気汚染がひどくなり、生活水準が高くなるにつれて、最近、空気清浄器が広く普及している。このような空気清浄器は、一般的に一つのパッケージ形態で提供され、ユーザーはパッケージ空気清浄器を室内の床に設置して使用する。
【発明の開示】
【発明が解決しようとする課題】
【０００３】
しかしながら、このように床に設置される空気清浄器は、空気中に浮遊する埃などを効果的に除去できないという問題がある。
また、空気清浄器は、室内の空気のみを吸入して埃を除去した後、室内に再び供給するので、空気清浄器の作動時間が経つにつれて次第に室内空気のＯ2含有量が落ち、ＣＯ2の含有量が高くなる。したがって、これを防止するために周期的に窓を開けて室内を換気しなければならないという不具合がある。
【０００４】
室内空気を自動的に換気するには、空気清浄器とは別途に換気装置を建物に設置しなければならず、施設費用および維持費用が沢山かかるという問題がある。
他方、床に設置される空気清浄器については、子供などが接近しやすいため、子供が空気清浄器を倒したり、故障、破損させたり等機械的問題を生じさせる。
【０００５】
本発明は上記問題点を解決するためのもので、その目的は、空気中に浮遊する埃などを効果的に除去できるばかりでなく、室内を換気できる機能を有する空気清浄器と換気装置との組合体を提供することにある。
【課題を解決するための手段】
【０００６】
上記目的を達成するため本発明による換気兼用空気清浄器は、内部に送風機を備えた、天井や壁に設置されるケースと、
室外、前記ケースの内部、及び室内を連通させ、前記ケース内部と室内との間に空気浄化部を有し、かつ室外空気を室内に案内する第１流路と、
室内、前記送風機、及び室外を連通させ、室内空気を室外に案内する第２流路と、
前記ケースの内部に設けられ、室外空気を室内へ供給しかつ室内空気を室外へ排出するために前記第１流路と第２流路とを隔離したり、または前記第２流路に流入した室内空気を前記空気浄化部を経由した後に、再び室内へ案内するように、前記第１流路と第２流路とを連通させるダンパーとを含むことを特徴とする。
【０００７】
前記第１流路は、前記ケース内に流入する空気の流動方向と、室内に供給される空気の流動方向とが異なるように、前記ケースの内部で曲折していることが好ましい。
【０００８】
前記第２流路は、前記ケース内に流入する空気の流動方向と、室外に吐き出される空気の流動方向とが異なるように、前記ケースの内部で曲折していることが好ましい。
【０００９】
前記送風機は、軸方向に空気を吸入した後、半径方向に排出することが好ましい。
【００１０】
前記ケースには、前記ケースと室内とを連通させる吸入口及び吐出口が設けられ、
前記ケースと室外とを連通させる吸気ダクト及び排気ダクトが設置されることが好ましい。
【００１１】
前記空気浄化部は、前記給気ダクトと吐出口間の空間に設けられていることが好ましい。
【００１２】
上記目的を達成するための本発明の他の形態による換気兼用空気清浄器では、吸入口及び吐出口を有する、天井や壁に設置されるケースと、
前記ケースの内部に設けられた、室内空気を吸入する送風機と、
一方は前記ケースに連結されかつ他方は室外に連結される、室外空気を前記ケースの内部に案内する給気ダクトと、
一方は前記ケースに連結され、かつ他方は室外に連結され、前記送風機を経由した室内空気を室外に案内する排気ダクトと、
前記送風機または給気ダクトを経由した後に、室内に供給される空気を浄化する、前記ケースの内部に設けられた空気浄化部と、
前記ケースの内部に設けられ、運転モードに従って前記吸入口と前記排気ダクトとを連通させ、かつ前記吐出口と前記給気ダクトとを連通させるか、または前記吸入口と前記吐出口とを連通させるダンパーとを含む。
【００１３】
前記運転モードは、前記ダンパーが開放され、前記吸入口に吸入され、かつ前記送風機を経由した室内空気を吐出口に案内する空気清浄モードと、前記ダンパーが閉鎖され、前記吸入口に吸入され、かつ前記送風機を経由した室内空気を前記排気ダクトに案内し、前記給気ダクトに案内された室外空気を吐出口に案内する換気モードとを含むことが好ましい。
【００１４】
室内空気の成分を測定するセンサーを前記ケース内にさらに含むことが好ましい。
【００１５】
前記ダンパーは、前記センサーによって測定される空気成分に基づいて自動的に開閉することが好ましい。
【００１６】
前記センサーは、ＣＯ2測定センサーを含むことが好ましい。
【００１７】
前記空気浄化部は、フィルター、イオン発生器、ＵＶランプ、テルペン(terpene)発生器、酸素発生器、方向装置のうちの少なくとも一つを含むことが好ましい。
【００１８】
前記給気ダクトまたは排気ダクトを開閉するために前記給気ダクト及び排気ダクトのうちの少なくとも一方に設けられたバルブをさらに含むことが好ましい。
【００１９】
前記給気ダクト及び排気ダクト内を夫々流動する空気を相互に間接的に熱交換するように前記給気ダクト及び排気ダクトを相互に交差する伝熱交換機をさらに含むことが好ましい。
【００２０】
前記給気ダクト及び排気ダクトのうちの少なくとも一方から分岐し、室内に連通した少なくとも一方の分岐管をさらに含むことが好ましい。
【発明の効果】
【００２１】
本発明による換気兼用空気清浄器は、一つのユニットのみでも空気清浄機能及び換気機能を効果的に行う。そのためには単にケース内に備えられたダンパーがケースの内部に導入された空気の流路を変更するだけで済むので、その構造が非常に簡単である。
【００２２】
そして、本発明による換気兼用空気清浄器は、ケースを経由する二つの流路を有する。つまり、室外空気が室内に供給される流路、及び室内空気が外部に排出される流路がケース内で曲折するように形成される。したがって、空気の流れ方向に沿って設置されるべき各種の部品の配置を変更することで、機器のコンパクト化が可能となる。
【００２３】
また、本発明による換気兼用空気清浄器には空気浄化部が備えられ、室内環境条件を一層改善できる。
【００２４】
本発明による換気兼用空気清浄器は、ケースが天井または壁に設置されるので、室内に浮遊する空気中の埃などを効果的に除去できるばかりでなく、子供などの接近による故障や破損のおそれが少ない。
【発明を実施するための最良の形態】
【００２５】
以下、添付の図面に示された本発明の実施形態を詳細に説明する。ここで、同一または同様部材については同一参照番号が付されている。
【００２６】
図１及び図２Ａを参照すると、本発明による空気清浄器１００は、パッケージ形態ではなく、一種のビルトイン形態で提供される。即ち、ケース１０１が室内にの床上に載置されていた従来の空気清浄器と異なり、本発明による空気清浄器１００のケース１０１は天井１０に設置されたり、図示されていないが、壁に設置される。
【００２７】
ケース１０１の内部には、室内空気をケース１０１の内部に吸入する送風機１５０が備えられる。送風機１５０は、軸方向に空気を吸入した後、半径方向に吐き出すように構成されることが好ましい。送風機１５０は、モーター１５１と、ファンもしくは送風機１５２とを含み、ファン１５２は、軸方向に空気を吸入した後、半径方向に吐き出すように構成されることが好ましい。
【００２８】
上記のような構成を有すると、ケース１０１の内部で空気の流れ方向が転換され、これにより、空気の流れる方向に沿って設置されるべき各種部品の配置を変更できる。したがって、ケース１０１の高さや厚さを減らすことによりケース１０１をコンパクト化することができる。
【００２９】
ケース１０１は、少なくも一面が室内と接するように備えられ、その室内と接した面には吸入口１３０と吐出口１４０とが夫々室内に連通するように備えられる。吸入口１３０と吐出口１４０は、ケース１０１内で区画板１０５によって相互に分離される。
【００３０】
また、ケース１０１の一面には、給気ダクト１１０及び排気ダクト１２０が設置され、給気ダクト１１０及び排気ダクト１２０は、ケース１０１と室外とを連通させる。
【００３１】
室内へ供給される空気を浄化するため、送風機１５０と室内との間の第１流路上には空気浄化部材３００が備えられる。より詳細には、空気浄化部材３００は、ケース１０１の内部、特に給気ダクト１１０と吐出口１４０との間の空間に備えられる。
この場合に、空気浄化部材３００は、図２Ａに示すように、吐出口１４０をカバーするように設けられる。
【００３２】
一方、本発明による空気清浄器１００には、ケース１０１を経由する二つの流路が設けられる。その一つは、室外空気をケース１０１内に導入した後に浄化し、室内に供給する第１流路であり、他の一つは、室内空気をケース１０１を経由させ室外に排出する第２流路である。上記のように、第１流路と第２流路とが提供されることで、本発明による空気清浄器１００は、室内空気を浄化しえるばかりでなく、室外空気で室内を換気することもできる。
【００３３】
以下では図２Ａを参照にして前記第１流路及び第２流路の構成についてより詳細に説明する。
【００３４】
まず、前記第１流路は、室外、前記ケースの内部、及び室内を連通させる。このような第１流路は、例えば、図２Ｂに示すように、給気ダクト１１０、ケース１０１の内部、及び吐出口１４０を含む。この場合、給気ダクト１１０は、その一端がケース１０１の一面、特に吐出口１４０の形成面と隣接した面に連結され、室外と、ケース１０１の内部とを相互に連通させる。このように設置された給気ダクト１１０の内部には、図示されていないが、室外空気をケース１０１側に送るファンが設けられる。
【００３５】
前記第１流路が上記のように形成されるときに、前記第１流路は、ケース１０１内で曲折するように形成される。この構造において、ケース１０１内に流入する空気の流動方向と、室内へ供給される空気の流動方向とが異なるようになる。したがって、ケース１０１の高さや厚さを減らすことによりケース１０１をコンパクト化するためにケース１０１内に空気の流れる方向に沿って設置されるべき各種の部品の配置を変更できる。
【００３６】
また、上記のように設けられる空気浄化部材３００によって、給気ダクト１１０を介してケース１０１に流入した室外空気に含まれた全ての異物質が浄化される。したがって、室内には浄化された空気のみが供給される。
【００３７】
次に、第２流路は、室内、送風機１５０、及び室外を連通させる。このような第２流路は、例えば、図２Ｂに示すように、吸入口１３０、送風機１５０、及び排気ダクト１２０を含んでなる。
第２流路は、室内空気が吸入口１３０および送風機１５０を経て排気ダクト１２０に案内され、室外に排気される流路である。そして、室内空気が吸入口１３０から送風機１５０に案内されるように空気ガイド１６０が設けられる。
【００３８】
また、吸入口１３０は室内と連通し、図２Ｂに示すように、吐出口１４０と一直線に設けられる。この場合、吸入口１３０と吐出口１４０は、ケース１０１に設けられた区画板１０５によって相互に分離されることが好ましい。
【００３９】
排気ダクト１２０は、送風機１５０及び吸入口１３０に連通するように設置される。このように設置された排気ダクト１２０の内部には、図示されていないが、吸入口１３０を介してケース１０１の内部に流入した室内空気を室外に送るためにファンが設けられる。
【００４０】
排気ダクト１２０は、吸入口１３０及び吐出口１４０が形成されたケース１０１の面と隣接した面に設置される。そして、排気ダクト１２０は、吸入口１３０と送風機１５０を経由した空気を吸入するように設置される。
【００４１】
上記のようにケース１０１に排気ダクト１２０が連結されると、送風機１５０によって吸入口１３０を介してケース１０１の内部に流入した室内空気は、排気ダクト１２０を介して室外に排出される。ここで、吸入口１３０を介してケース１０１の内部に流入した空気と、吐出口１４０を介してケース１０１の内部から室内に吐き出される空気は、上記のように区画板１０５によって分離されるので、相互に混ざることはない。
【００４２】
前記第２流路が上記のように形成されるときに、前記第２流路は、ケース１０１内で曲折形態に形成される。このような構造において、ケース１０１内に流入する空気の流動方向と、室内に供給される空気の流動方向とが異なるようになる。したがって、上述したように、ケース１０１内に空気の流れる方向に沿って設置されるべき各種の部品の配置変更が可能となり、ケース１０１の高さや厚さを減らすことによりケース１０１をコンパクト化することができる。
【００４３】
上記のように、送風機１５０を有するケース１０１、第１流路及び第２流路が空気清浄器１００に設けられると、室外空気を第１流路を用いて浄化して室内に供給し、汚染された室内空気は、第２流路を用いて室外に排出できる。したがって、本発明による空気清浄器１００は、空気清浄機能ばかりでなく、室内を換気する機能まで同時に行える。
【００４４】
他方、本発明による空気清浄器１００には、ケース１０１内に流入した室内空気又は室外空気の流動回路を制御するダンパー１７０がさらに備えられる。ダンパー１７０はケース１０１内に備えられ、前記第１流路と第２流路を選択的に連通させたり、隔離する役割をはたす。
【００４５】
より詳細に説明すると、ダンパー１７０は、室内空気を室外へ排出し、かつ室外空気を前記室内へ案内するように前記第１流路と第２流路とを隔離したり、第２流路に流入した室内空気が送風機１５０を経て再び室内に流入するように、前記第１流路と第２流路とを連通させる役割を果たす。
【００４６】
以下ではこのような役割を果たす前記ダンパー１７０についてより詳細に説明する。
【００４７】
まず、ダンパー１７０は、前記第１流路の一部であって前記第２流路と接した部分に、前記第２流路の一部を開閉できるように設置される。即ち、図２Ａに示すように、ダンパー１７０は、区画板１０５と前記給気ダクトとが連結されるケース１０１部分に設置される。
【００４８】
このような構造において、ダンパー１７０が図２Ａに示すように開放する時に吸入口１３０と吐出口１４０とが連通し、それにより前記第１流路及び第２流路が連通する。この場合、吸入口１３０を介してケース１０１内に流入した空気が空気ガイドによって送風機１５０に案内され、再び室内に供給される。したがって、室内空気は、本発明による空気清浄器１００によって浄化された後、室内に再び供給される。
【００４９】
この際、給気ダクト１１０を介して室外空気がケース１０１内に流入し、排気ダクト１２０を介して室内空気が室外に排出されえる。したがって、これを防止するために、給気ダクト１１０及び排気ダクト１２０内に夫々設置されたファンは停止させることが好ましい。
【００５０】
これとは逆に、ダンパー１７０が図２Ｂに示すように閉鎖される時は、吸入口１３０と、吐出口１４０とが隔離され、それにより第１流路と第２流路とが相互に隔離される。この場合、吸入口１３０を介してケース１０１の内部に流入した室内空気は排気ダクト１２０に案内され、給気ダクト１１０を介してケース１０１の内部に流入した室外空気は、送風機１５０を経由した後に浄化され、室内に供給される。
【００５１】
この際、給気ダクト１１０および排気ダクト１２０を空気が良好に流動するように、給気ダクト１１０および排気ダクト１２０のそれぞれの内部にファンが設けられることが好ましい。
【００５２】
一方、給気ダクト１１０及び排気ダクト１２０のうちの少なくとも一方には、図１に示すように、給気ダクト１１０または排気ダクト１２０を開閉するバルブ１１１、１２１が設置される。この場合、バルブ１１１、１２１を開閉することにより、給気ダクト１１０及び排気ダクト１２０への空気の流動を許可、または防止できる。
【００５３】
このように空気清浄器１００にダンパー１７０が設置されると、外部空気を導入せず、室内空気のみを浄化して室内に再び供給したり、室内を換気しながら浄化した空気を室内に供給することが選択的に行える。したがって、空気清浄器１００の効率的な使用が可能となる。
【００５４】
次に、本発明の他の実施形態による空気清浄器を説明する。
【００５５】
ケース１０１は、少なくとも一面が室内と接するように備えられ、その室内に接する面には吸入口１３０と、吐出口１４０とが夫々室内に連通するように設置される。
吸入口１３０と吐出口１４０は、区画板１０５によって相互から分離される。
【００５６】
そして、室内空気をケース１０１の内部に吸入し、その吸入した室内空気を吐出口１４０に吐き出す送風機１５０が設置される。
送風機１５０は、軸方向に空気を吸入した後、半径方向に吐き出すように構成されることが好ましい。送風機１５０は、モーター１５１とファン１５２とを含み、ファン１５２は、軸方向に空気を吸入した後に、半径方向に吐き出すように構成されることが好ましい。
【００５７】
上記のような構成において、ケース１０１の内部で空気の流れる方向が転換され、これにより、空気の流れ方向に沿って設置されるべき各種の部品の配置を変更できる。したがって、ケース１０１の高さや厚さを減らすことによりケース１０１をコンパクト化できる。
【００５８】
一方、ダクト１１０、１２０は、ケース１０１に連結され、室内空気を換気する。
ダクト１１０、１２０は、給気ダクト１１０と、排気ダクト１２０とで構成されている。
給気ダクト１１０の第一側はケース１０１に連結され、他方の第二側は室外に連結される。室外空気は、給気ダクト１１０によってケース１０１の内部に案内され、吐出口１４０を経て室内に供給される。
【００５９】
排気ダクト１２０の第一側はケース１０１に連結され、他方の第二側は室外に連結されて、ケース１０１の内部に吸入される室内空気を室外に案内する。そして、より詳細には、給気ダクト１１０及び排気ダクト１２０がケース１０１と接触する場所、ケース１０１の一面、特に、吐出口１４０の形成面に当接する面に連結される。
【００６０】
このように設置された給気ダクト１１０及び排気ダクト１２０の内部には、ダクト１１０，１２０をそれぞれ開閉するためのバルブ１１１，１２１が設けられる。したがって、ダクト１１０，１２０は、バルブ１１１，１２１によって夫々開放、或いは閉鎖される。また、夫々のダクト１１０，１２０には、空気を吸入／排出するための別のファンが備えられる。
【００６１】
一方、本発明による空気清浄器１００は、ダンパー１７０を含む。ダンパー１７０は、ケース１０１の運転モードに基づいて吸入口１３０と排気ダクト１２０とを連通させながら、吐出口１４０と前記給気口とを連通させたり、前記吸入口と吐出口１４０とを連通させる。
【００６２】
運転モードは、ダンパー１７０が開放される空気清浄モードと、ダンパー１７０が閉鎖される換気モードとを含む。
前記各運転モードをより詳細に説明すると、前記空気清浄モードは、ダンパー１７０が開放され、吸入口１３０と送風機１５０を経由した室内空気を吐出口１４０に案内するモードである。そして、バルブ１１１、１２１は、給気ダクト１１０及び排気ダクト１２０を閉鎖する。
【００６３】
換気モードは、ダンパー１７０が閉鎖され、吸入口１３０と送風機１５０を経由した室内空気を排気ダクト１２０に案内し、給気ダクト１１０によってケース１０１の内部に案内された室外空気を吐出口１４０に案内するモードである。前記換気モードでは、バルブ１１１，１２１が開放され、給気ダクト１１０及び排気ダクト１２０に設置されるファンが稼働する。
【００６４】
ダンパー１７０をより詳細に説明すると、ダンパー１７０は、吐出口１４０と送風機１５０との間で、区画板１０５と、給気ダクト１１０と、排気ダクト１２０とに接触してケース１０１の一側面に備えられる。給気ダクト１１０および排気ダクト１２０と接触するダンパー１７０部分で両ダクトを分離している。
【００６５】
一方、ケース１０１の内部には空気ガイド１６０が備えられる。空気ガイド１６０は、吸入口１３０と送風機１５０との間に設置され、送風機１５０によって吸入口１３０に吸入される室内空気がより円滑にケース１０１の内部で流動するように室内空気を案内する。
【００６６】
また、室内への供給空気を浄化するために、空気浄化部材３００が備えられる。空気浄化部材３００はについては、図３、４、及び図５の説明でより詳細に述べる。空気浄化部材３００は、ケース１０１の内部、特に、送風機１５０と、吐出口１４０との間に備えられる。ここで、空気浄化部材３００は、吐出口１４０をカバーするように設けられる。
【００６７】
上記のように空気浄化部材３００が備えられると、前記ファンによって吸入され、吐出口１４０に吐き出される室内空気と、給気ダクト１１０を介してケース１０１に流入した室外空気とに含まれる全ての異物質が空気浄化部材３００によって浄化される。したがって、室内には浄化された空気のみが供給される。
【００６８】
また、ケース１０１には室内空気成分を測定するセンサー２１０が備えられる。センサー２１０は、制御装置（図示せず）に電気的に連結され、室内空気成分を測定した結果を制御装置に送る。前記制御装置は、測定結果を予め定められた基準と比較して、前記運転モードを制御する。したがって、前記運転モードにおいて換気モードまたは空気清浄モードでの運行は前記制御装置によって自動的に変えられる。
【００６９】
センサー２１０は、室内と接するケース１０１の一面、例えば、吸入口１３０の周囲に取り付けられる。センサー２１０は、より詳細には、室内空気に含まれた二酸化炭素の含有量を測定する二酸化炭素測定センサーからなる。ここで、空気中の二酸化炭素量を測定するセンサーは、広く使用されているものであって、その構成については省略する。
【００７０】
図２Ａ及び図２Ｂを参照して、前記換気兼用空気清浄器の作動を説明する。図２Ａは空気清浄モードを示し、図２Ｂは換気モードを示す。
センサー２１０は、室内空気の成分を測定して前記制御装置へ伝送する。前記制御装置は、室内空気成分に基づいて運転モードを決定する。
【００７１】
空気清浄モードにおいて、室内空気は図２Ａに示す矢印方向に流動する。室内空気は、送風機１５０によって吸入口１３０を経てケース１０１の内部に吸入される。この際、空気ガイド１６０は、吸入される室内空気を送風機１５０に円滑に案内する。
【００７２】
室内空気は、送風機１５０から半径方向に吐き出され、ダンパー１７０に移動する。開放されたダンパー１７０は、送風機１５０を経由した室内空気を吐出口１４０に案内する。ダンパー１７０を経由した室内空気は、空気浄化部材３００で異物質が浄化され、吐出口１４０を経て再び室内に吐き出される。
【００７３】
この際、給気ダクト１１０を介して室外空気がケース１０１内に流入し、排気ダクト１２０を介して室内空気が室外に排出されえる。したがって、これを防止するために、給気ダクト１１０及び排気ダクト１２０内に夫々設置されたファンは停止させることが好ましい。
【００７４】
一方、換気モードにおいて室内空気及び室外空気は、図２Ｂに示す矢印方向に流動する。
室内空気は、送風機１５０によって吸入口１３０を経てケース１０１の内部に吸入される。この際、空気ガイド１６０は、前記吸入される室内空気を送風機１５０に円滑に案内する。
【００７５】
室内空気は送風機１５０から半径方向に吐き出され、ダンパー１７０に移動する。閉鎖されたダンパー１７０は、送風機１５０を経由した室内空気を排気ダクト１２０に案内し、排気ダクト１２０は、室内空気を室外に案内する。
給気ダクト１１０によってケース１０１の内部に案内される室外空気は、閉鎖されたダンパー１７０によって吐出口１４０に案内される。室外空気は、室内に吐き出される前、空気浄化部材で異物質が浄化された後に、吐出口１４０を経由して室内に吐き出される。この際に、給気ダクト１１０と排気ダクト１２０を介して空気の流動がうまく行われるように、給気ダクト１１０と排気ダクト１２０の内に設置されたファンが共に稼働することが好ましい。
【００７６】
そして、本発明による空気清浄器１００が作動する時、区画板１０５は、吸入口１３０への吸入空気と、吐出口１４０への吐出空気とが相互に混ざることを防止する。
【００７７】
一方、給気ダクト１１０及び排気ダクト１２０のうちの少なくとも一方には、図１に示すように、給気ダクト１１０または排気ダクト１２０を開閉するバルブ１１１，１２１が設けられる。この場合、バルブ１１１、１２１を開閉することにより、給気ダクト１１０及び排気ダクト１２０を介した空気の流動を許可、或いは防止する。
【００７８】
前記空気清浄モードと前記換気モードは、ユーザーが手動で転換したり、または自動的に転換できる。例えば、センサー２１０が測定した室内空気中の二酸化炭素含量を外部に表示すると、表示されたデータに基づき、手動でダンパー１７０及びバルブ１１１、１２１などの作動を転換できる。反面、運転モードが自動的に転換される場合には、センサー２１０で測定されたデータに基づき、前記制御部がダンパー１７０及びバルブ１１１、１２１の作動を転換する。
【００７９】
このように空気清浄器にダンパー１７０が設けられると、室外空気を導入せず、室内空気のみを浄化して室内に再び供給したり、室内を換気しながら浄化された空気を室内に供給することを選択的に行える。したがって、空気清浄器の効率的な使用が可能となる。
【００８０】
図３、４、及び図５を参照すると、本発明による空気清浄器１００には空気浄化部材３００がさらに備えられる。空気浄化部材３００は、ケース１０１に設置され、室内へ供給される空気を浄化することで、空気に含まれた細菌及びバクテリアを除去する。
このような空気浄化部材３００は、フィルター３１０、ＵＶランプ３２０、イオン発生器３３０、テルペン発生器３４０のうち少なくとも何れか一つを含む。
【００８１】
ＵＶランプ３２０は、図３に示すように、ケース１０１に備えられ、ダンパー１７０と吐出口１４０との間に紫外線を照射して、室内へ供給される空気を殺菌する。
紫外線の殺菌効果は既に公知のことであり、紫外線を発射するＵＶランプは既に殺菌の目的で広く使用されているので、ＵＶランプ３２０の構成に関する更なる説明は省略する。
【００８２】
イオン発生器３３０は、図５に示すように、ケース１０１に備えられる。かかるイオン発生器３３０は、ダンパー１７０と、吐出口１４０との間の空間に陰イオンを発生させ、陰イオンが室内へ供給される空気を殺菌する。このようなイオン発生器３３０は広く使用されており、このイオンを発生させる一つの例を以下に挙げる。
【００８３】
例えば、尖っている針に高電圧を印加すると、その周辺を通る酸素（Ｏ2）はオゾン（Ｏ3）、つまり、酸素がもう一つ付いた陰イオンとなる。このオゾン（Ｏ3）は酸化力に優れ、殺菌効果を有するものとして知られている。そればかりでなく、オゾン（Ｏ3）は、陽イオン性の微細粒子などの汚染物と結合するが、イオン専用フィルター３３５が設置された場合、イオン専用フィルター３３５に張り付いて空気清浄効果も発揮する。
したがって、イオン発生器３３０として上記の原理に基づいたものが使用される場合、図５に示すように、イオン専用フィルター３３５がさらに設けられる。
【００８４】
テルペン発生器３４０は、図５に示すように、ケース１０１に、特に、フィルター３１０と吐出口１４０との間に備えられ、室内に供給される空気にテルペンを供給する。ここで、テルペン発生器３４０の本体３４１はケース１０１の外部に、そして、ノズル３４２はケース１０１の内部に備えられえる。
【００８５】
ここで、前記テルペンは、木がバクテリアなどの細菌や虫から自身を保護するために発散する、殺菌、殺虫力を有する芳香性化学物質のフィトンチッド（phytoncide）の主成分をいう。消毒作用、皮膚老廃物分泌の促進、及び心肺機能強化の効能があり、自律神経を刺激して、心身を安定させるものとして知られている。鬱蒼とした森の空気を吸うと森林浴の効果が得られるのは、森の空気に前記テルペンが含まれていることによると知られている。
【００８６】
したがって、室内へ供給される空気にテルペン発生器３４０がテルペンを供給すると、室内空気の殺菌効果ばかりでなく、室内で森林浴の効果をも得られる。
【００８７】
一方、本発明による空気清浄器１００は、空気浄化部材３００が酸素発生器（図示せず）及び芳香装置（図示せず）をさらに含む。この場合に、前記酸素発生器は、図３及び図４に示すＵＶランプ３２０及びイオン発生器３３０と同じ位置に設置されるか、或いは図５に示すテルペン発生器３４０と同じ位置に設置される。
このように、ケース１０１内に酸素発生器が備えられると、前記酸素発生器が室内に供給される空気に新鮮な酸素を直接供給できるので、室内の環境条件が一層改善される。
【００８８】
そして、前記芳香装置は、前記酸素発生機と同一の位置に備えられえるが、芳香効果を高めるために、前記芳香装置は、図５に示すテルペン発生器３４０と同一の位置に設置されることが良い。このように設置された芳香装置は、室内へ供給される空気に香りを噴射する。すると、室内で発生した悪臭を除去する効果が得られる。
【００８９】
他方、本発明による空気清浄器１００には、電熱交換機４００がさらに備えられえる。
電熱交換機４００は、図１に示すように、給気ダクト１１０と、排気ダクト１２０とを交差させ、給気ダクト１１０及び排気ダクト１２０内を夫々流動する室外空気及び室内空気を相互に間接的に熱交換させる役割を果たす。
【００９０】
電熱交換機４００が備えられると、室外から室内に流入する室外空気が室内から室外に排出される室内空気と熱交換した後、室内に供給される。したがって、室内と室外との温度差が大きい場合、電熱交換機４００は、換気時における室内温度の急激な変化を効果的に防止できる。
【００９１】
そればかりでなく、室外に排出される室内空気の熱気又は冷気が室内に供給される室外空気へ伝達されるので、本発明による空気清浄器１００が室内を暖房、又は冷房する空気調和機と共に使用される場合、本発明による空気清浄器１００は、エネルギーの浪費を効果的に防止できる。
【００９２】
一方、本発明による空気清浄器１００には、図１に示すように、給気ダクト１１０、及び排気ダクト１２０のうち少なくとも何れか一方から分岐し、夫々室内に連通した少なくとも一つの分岐管１１５，１２５が備えられえる。
【００９３】
このように分岐管１１５，１２５が設けられる場合、本発明による空気清浄器１００は複数の部屋を有する建物に使用できる。当然ながらこの場合には、複数の空気清浄器１００が建物に設置される。例えば、本発明による空気清浄器１００は寝室及び居室に夫々備えられ、かつ分岐管１１５，１２５は浴室やキッチンにも設置することができる。
【００９４】
上述した実施形態の外にも、本発明がその趣旨や範疇内で他に様々な形態で具体化され得ることは、当分野の熟練者には自明なことであろう。したがって、本発明は上記実施形態に限定されるものではなく、特許請求の範囲、及びその同等範囲内で変更が可能である。
【図面の簡単な説明】
【００９５】
【図１】本発明による空気清浄器の設置状態を概略的に示す図面である。
【図２Ａ】本発明の第１実施形態による空気清浄器が空気清浄モードで作動する時を示す断面図である。
【図２Ｂ】本発明の第２実施形態による空気清浄器が換気モードで作動する時を示す断面図である。
【図３】本発明の第３実施形態による空気清浄器を示す断面図である。
【図４】本発明の第４実施形態による空気清浄器を示す断面図である。
【図５】本発明の第５実施形態による空気清浄器を示す断面図である。
【符号の説明】
【００９６】
１００    空気清浄器
１０１    ケース
１１０    給気ダクト
１２０    排気ダクト
１３０    吸入口
１４０    吐出口
１５０    送風機
１６０    空気ガイド
１７０    ダンパー
２１０    センサー
３００    空気浄化部
３１０    フィルター
３２０    ＵＶランプ
３３０    イオン発生器
３４０    テルペン発生器
【図１】
2005214612.tif 000003
【図２Ａ】
2005214612.tif 000004
【図２Ｂ】
2005214612.tif 000005
【図３】
2005214612.tif 000006
【図４】
2005214612.tif 000007
【図５】
2005214612.tif 000008